Podtech/llm-jp-corpus-v4-ja_patent huggingface dataset:
【手続補正書】
【提出日】平成19年6月26日(2007.6.26)
【手続補正１】
【補正対象書類名】明細書
【補正対象項目名】特許請求の範囲
【補正方法】変更
【補正の内容】
【特許請求の範囲】
【請求項１】
複数のゲート信号線と、複数のソース信号線と、前記複数のゲート信号線と前記複数のソース信号線との各交差部に設けられた複数の画素電極とが設けられた基板と、
前記複数の画素電極の１つに電気的に接続された薄膜トランジスタと、を有し、
第１のフレーム期間において、前記複数のソース信号線の１つを通して前記複数の画素電極の１つには第１の映像信号が印加されており、
前記第１のフレーム期間の次の第２のフレーム期間において、前記複数のソース信号線の１つを通して前記複数の画素電極の１つには、前記第１の映像信号とは逆の極性の第２の映像信号が印加されており、
フレーム周波数は１２０Ｈｚ以上であることを特徴とする表示装置。
【請求項２】
複数のゲート信号線と、複数のソース信号線と、前記複数のゲート信号線と前記複数のソース信号線との各交差部に設けられた複数の画素電極とが設けられた基板と、
前記画素電極の１つに電気的に接続された薄膜トランジスタと、を有し、
前記複数のソース信号線の１つを通して前記複数の画素電極の１つには第１の映像信号が印加されており、
前記映像信号の極性は１フレーム期間毎に変化しており、
フレーム周波数は１２０Ｈｚ以上であることを特徴とする表示装置。
【請求項３】
複数のゲート信号線と、複数のソース信号線と、前記複数のゲート信号線と前記複数のソース信号線との各交差部に設けられた複数のスイッチング素子及び複数の画素電極とが設けられた基板を有し、
前記複数のソース信号線の１つを通して前記複数のスイッチング素子の１つに映像信号が印加されており、
前記複数のゲート信号線の１つを通して、前記複数のスイッチング素子の１つには前記映像信号を選択する選択信号が印加されており、
前記複数のスイッチング素子の１つを通して前記複数の画素電極の１つには前記選択信号によって選択された前記映像信号が印加されており、
前記映像信号の極性は１フレーム期間毎に変化しており、
フレーム周波数は１２０Ｈｚ以上であることを特徴とする表示装置。
【請求項４】
請求項１において、前記第１フレーム期間及び前記第２のフレーム期間の長さは８．３ｍｓｅｃ以下であることを特徴とする表示装置。
【請求項５】
請求項２または請求項３において、前記１フレーム期間の長さは８．３ｍｓｅｃ以下であることを特徴とする表示装置。
【請求項６】
請求項１乃至請求項５のいずれか一項において、前記基板上に、ソース信号線駆動回路、ゲート信号線駆動回路およびデジタルビデオデータ分割回路を有することを特徴とする表示装置。
【請求項７】
請求項１乃至請求項６のいずれか１項において、隣接する２つのゲート信号線の間隔は２０μｍ以下であることを特徴とする表示装置。
【請求項８】
請求項１乃至請求項７のいずれか１項において、隣接する２つのソース信号線の間隔は２０μｍ以下であることを特徴とする表示装置。
【請求項９】
請求項３において、前記複数のスイッチング素子は、ゲート電極と、ソース領域、ドレイン領域及びチャネル形成領域を有する半導体層と、前記ゲート電極と前記半導体層との間に設けられた絶縁膜とをそれぞれ有しており、
前記複数のゲート信号線のいずれか１つは前記ゲート電極と接続されており、
前記複数のソース信号線のいずれか１つは前記ソース領域または前記ドレイン領域と接続されていることを特徴とする表示装置。
【請求項１０】
請求項１乃至請求項９のいずれか１項において、前記表示装置は３つの色を含むカラーフィルターが設けられた第２の基板を有することを特徴とする表示装置。
【請求項１１】
請求項１０において、前記複数の画素電極はそれぞれ、前記カラーフィルターが含む３つの色のうちの１つに対応していることを特徴とする表示装置。
【請求項１２】
請求項１０または請求項１１において、前記基板と前記第２の基板との間に液晶を有することを特徴とする表示装置。
【請求項１３】
請求項１乃至請求項１２のいずれか１項に記載の前記表示装置を有するゴーグル型ディスプレイ。
【請求項１４】
請求項１乃至請求項１２のいずれか１項に記載の前記表示装置を２個有するゴーグル型ディスプレイ。
【請求項１５】
請求項１乃至請求項１２のいずれか１項に記載の前記表示装置を有するモバイルコンピュータ。
【請求項１６】
請求項１乃至請求項１２のいずれか１項に記載の前記表示装置を有するノートブック型パーソナルコンピュータ。
【請求項１７】
請求項１乃至請求項１２のいずれか１項に記載の前記表示装置を有するビデオカメラ。
【請求項１８】
請求項１乃至請求項１２のいずれか１項に記載の前記表示装置を有するＤＶＤプレーヤー。
【請求項１９】
請求項１乃至請求項１２のいずれか１項に記載の前記表示装置を有するゲーム機。
【手続補正書】
【提出日】平成19年7月11日(2007.7.11)
【手続補正１】
【補正対象書類名】明細書
【補正対象項目名】特許請求の範囲
【補正方法】変更
【補正の内容】
【特許請求の範囲】
【請求項１】  高分子バインダーと溶解性インヒビターを含むポジティブタイプの感熱組成物であって、前記溶解性インヒビターが、溶解性インヒビターがメタロセンでないとの条件のもとで、有機金属の化合物、有機塩、または、元素周期律表のIIIＡグループまたは遷移グループの金属の無機塩の有機化合物であることを特徴とする組成物。
【請求項２】  IIIＡグループに属する金属が、アルミニウムまたはホウ素であることを特徴とする請求項１記載の組成物。
【請求項３】  遷移グループに属する金属が、チタン（IV）、鉄（II）及び（III）、銅（II）、クロム（III）、コバルト（II）、マンガン（II）、タングステン（IV）、バナジウム、ジルコニウム、または、亜鉛であることを特徴とする請求項１記載の組成物。
【請求項４】  前記有機金属の化合物が、１から１０Ｃ原子の脂肪族化合物及び３から６Ｃ原子のシクロ脂肪族化合物からなるグループから選択された少なくとも１つの有機部分(moiety)を含むことを特徴とする請求項１〜３のいずれか１項に記載の組成物。
【請求項５】  前記脂肪族化合物が、１から１０Ｃ原子を有するアルキル、アルコキシル、または、アルキルカルボキシルグループであることを特徴とする請求項４記載の組成物。
【手続補正書】
【提出日】平成19年8月20日(2007.8.20)
【手続補正１】
【補正対象書類名】明細書
【補正対象項目名】特許請求の範囲
【補正方法】変更
【補正の内容】
【特許請求の範囲】
【請求項１】
ビットマップ（３）を含む一連のメモリオブジェクトから画像を作成する方法であって、
Ａ）記憶装置（１１）から逐次的に前記オブジェクトを取得するステップと、
Ｂ）終了条件が発生したか否かを判定するステップと、
Ｃ）終了条件が発生していない場合、
i)取出されたビットマップ（３）を逐次的にスティッチして単一のビットマップにし（１５）、
ii)別のオブジェクトを取得し（１７）、
iii)ステップＡに戻る、
ステップと、
Ｄ）終了条件が発生した場合、
i)前記終了条件が、アーティファクトを生じない大域的処理を可能とするものであるか否かを判定し、
ａ）前記終了条件が、アーティファクトを生じない大域的処理を可能とするものである場合には、取得されたビットマップすべてに対して、大域的処理（１６）および出力装置（９）への画像のレンダリング（１２）を実行し、
ｂ）前記終了条件が、アーティファクトを生じない大域的処理を可能とするものではない場合には、大域的処理（１６）を回避する一方で取得されたビットマップすべてを出力装置に対してレンダリングする（１２）、
ステップ
からなる方法。
【請求項２】
ビットマップ（３）を含む一連のメモリオブジェクトから画像を作成する方法であって、
Ａ）記憶装置（１１）から逐次的に前記オブジェクトを取得するステップと、
Ｂ）終了条件が発生したか否かを判定するステップと、
Ｃ）終了条件が発生していない場合、
i)取得されたビットマップ（３）を逐次スティッチして単一のビットマップにし（１５）、
ii)別のオブジェクトを取得し（１７）、
iii)ステップＡに戻る
ステップと、
Ｄ）共通の境界を共有していない一連のビットマップ（３）の終了条件が発生した場合、前記ビットマップを取得された任意のビットマップにスティッチしてステップＡに戻るステップと、
Ｅ）ステップＤ以外の終了が発生した場合、
i)その終了条件が、アーティファクトを生じない大域的処理を可能とするものであるか否かを判定し、
ａ）前記終了条件が、アーティファクトを生じない大域的処理を可能とするものである場合には、取得されたビットマップすべてに対して大域的処理（１６）および出力装置（９）への画像のレンダリング（１２）を実行し、
ｂ）前記終了条件が、アーティファクトを生じない大域的処理を可能とするものではない場合には、大域的処理（１６）を回避する一方で取得されたビットマップすべてを出力装置に対してレンダリングする（１２）、
ステップ
からなる方法。
【請求項３】
前記アーティファクトを生じない終了条件が、ビットマップ以外のオブジェクトを取得することからなる、請求項１または２の方法。
【請求項４】
前記アーティファクトを生じない終了条件が、ページ終了（end-of-page）オブジェクトを取得することからなる、請求項１乃至３のいずれかの方法。
【請求項５】
前記アーティファクトを生じない終了条件が、前記一連のメモリオブジェクトを処理し尽くすことからなる、請求項１乃至４のいずれかの方法。
【請求項６】
アーティファクトを生じない大域的処理を可能とはしない前記終了条件が、圧縮されたビットマップを取得することからなる、請求項１乃至５のいずれかの方法。
【請求項７】
前記アーティファクトを生じない終了条件が、共通の境界を共有しない２つのビットマップを順次取得することからなる、請求項１乃至６のいずれかの方法。
【請求項８】
アーティファクトを生じない大域的処理を可能とはしない前記終了条件が、２４ビット色ではないビットマップを取得することからなる、請求項１乃至７のいずれかの方法。
【請求項９】
アーティファクトを生じない大域的処理を可能とはしない前記終了条件が、異なる描画モードを有する連続したビットマップを取得することからなる、請求項１乃至８のいずれかの方法。
【請求項１０】
アーティファクトを生じない大域的処理を可能とはしない前記終了条件が、予め設定された許容率を超えて異なるスケールファクタを有する連続したビットマップ（３）を取得することからなる、請求項１乃至９のいずれかの方法。
【手続補正書】
【提出日】平成19年8月20日(2007.8.20)
【手続補正１】
【補正対象書類名】明細書
【補正対象項目名】特許請求の範囲
【補正方法】変更
【補正の内容】
【特許請求の範囲】
【請求項１】
入力画素を含む画素ウインドウを有する任意のデジタル画像の品質を向上させるための方法であって、
前記画素ウインドウの変化を計算するステップと、
第１の閾値と第２の閾値を計算するステップと、
前記変化を前記第１の閾値及び前記第２の閾値と比較するステップと、
前記比較に基づいて前記入力画素を処理するステップと、
前記入力画素の処理に基づいて出力画素を生成するステップ
を含み、
前記変化が、前記第１の閾値より小さく、かつ、前記第２の閾値より小さい場合には、前記出力画素の値は前記入力画素の値に等しく、前記変化が、前記第１の閾値より大きく、かつ、前記第２の閾値より小さい場合には、平滑化フィルタが適用され、前記変化が、前記第１の閾値より大きく、かつ、前記第２の閾値より大きい場合には、非線形フィルタが適用されることからなる、方法。
【請求項２】
前記画素ウインドウが、赤平面、緑平面及び青平面からなり、
前記画素ウインドウの赤平面に中位の平滑化フィルタを適用するステップ（Ｓ５０２）と、
前記画素ウインドウの緑平面に中位の平滑化フィルタを適用するステップ（Ｓ５０４）と、
前記画素ウインドウの青平面に中位の平滑化フィルタを適用するステップ（Ｓ５０６）
をさらに含む、請求項１の方法。
【請求項３】
前記画素ウインドウの前記赤平面の変化を計算するステップと、
前記赤平面の変化を該赤平面についての第１の閾値と比較するステップ（Ｓ６０４）と、
前記赤平面の変化が該赤平面についての前記第１の閾値より大きいか否かを判定するステップと、
前記赤平面の変化が該赤平面についての前記第１の閾値より大きい場合に、該赤平面に複数のフィルタ係数を適用するステップ（Ｓ６０７）と、
前記画素ウインドウの前記緑平面の変化を計算するステップと、
前記緑平面の変化を該緑平面についての第１の閾値と比較するステップと、
前記緑平面の変化が該緑平面についての前記第１の閾値より大きいか否かを判定するステップと、
前記緑平面の変化が該緑平面についての前記第１の閾値より大きい場合に、該緑平面に複数のフィルタ係数を適用するステップと、
前記画素ウインドウの前記青平面の変化を計算するステップと、
前記青平面の変化を該青平面についての第１の閾値と比較するステップと、
前記青平面の変化が該青平面についての前記第１の閾値より大きいか否かを判定するステップと、
前記青平面の変化が該青平面についての前記第１の閾値より大きい場合に、該青平面に複数のフィルタ係数を適用するステップ
をさらに含む、請求項１の方法。
【請求項４】
前記変化が、前記第１の閾値より大きく、かつ、前記第２の閾値よりも大きい場合に、
前記画素ウインドウについて特徴ベクトルを取得するステップ（Ｓ７０２）と、
距離（Ｄｍ）を最大距離として割当てるステップと（Ｓ７０３）と、
複数の項を有する複数の代表ベクトルを取得するステップ（Ｓ７０４）と、
クラス代表ベクトルと前記特徴ベクトルとの間の二乗ユークリッド距離（Ｄ１）を、該クラス代表ベクトルのＸ数のＮ項を用いて計算するステップ（Ｓ７０５）
をさらに含む、請求項１の方法。
【請求項５】
二乗ユークリッド距離Ｄ１をＤｍと比較するステップと、
Ｄ１がＤｍより小さい場合、前記クラス代表ベクトルのＮ項を用いて、輝度ベクトルである前記特徴ベクトルと前記クラス代表ベクトルとの間の第２の二乗ユークリッド距離Ｄ２を計算するステップ（Ｓ７０７）
をさらに含む、請求項４の方法。
【請求項６】
Ｄ２を閾値距離Ｄthと比較するステップ（Ｓ７０８）と、
前記第２の二乗ユークリッド距離Ｄ２が前記閾値距離Ｄthより小さい場合に、最良の代表クラスの複数のフィルタ係数を使用するステップ
をさらに含む、請求項５の方法。
【請求項７】
Ｄ２をＤｍと比較し、Ｄ２がＤｍより小さい場合、Ｄ２を最少距離Ｄｍとして割当てるステップと、
Ｄｍより小さいＤ２を有するクラスを前記特徴ベクトルに最も近いクラスとして選択するステップ
をさらに含む、請求項６の方法。
【手続補正書】
【提出日】平成19年3月7日(2007.3.7)
【手続補正１】
【補正対象書類名】特許請求の範囲
【補正対象項目名】全文
【補正方法】変更
【補正の内容】
【特許請求の範囲】
【請求項１】
紙幣収納部の前側片の口側の中央部付近に、紙幣の滑り押し出し用切欠き部を設けて成ることを特徴とする財布。
【請求項２】
複数の紙幣収納部を重ねて設けて成る、請求項１に記載の財布。
【請求項３】
前記複数の滑り押し出し用切欠き部の位置をずらして設けると共に、各々の紙幣収納部に於いて中央部付近に滑り押し出し用切欠き部が位置するように、紙幣の両端が収まる位置を決めるための紙幣収納位置調整接合部を設けて成る、請求項２に記載の財布。
【手続補正２】
【補正対象書類名】明細書
【補正対象項目名】０００４
【補正方法】変更
【補正の内容】
【０００４】  人間の手、指はいろいろなことをする上で一番良く使う部位であり、使うことの頻度が多いということは怪我をする確率も高いものである。包丁を使っていてとか、紙を滑らしてしまってとかで切ってしまうことなど結構多いことであり、包帯やバンドエイドなどで保護している時がある。また、脳梗塞等によって半身が若干不自由で指の使用が思うようにならず、時間をかければという人も多くなってきている。しかし指の使用が若干不自由な人にとっては、財布から紙幣を指ではさんで取り出すという行為は難しく、やたらに時間がかかって支払いの時に店の人や、支払い順にうしろに並んでいる人などイライラして感情を害すようなことがあり、まだ日本ではこれら身体の一部が不自由な人達にゆっくりでもいいから頑張ってというモラルは定着しておらず、その人を見る眼が異なり、さきほどにも記したイライラしてしまうのが実態であり、そういう他人の眼やことばが身体の一部が不自由な人の外出等、公共の場に出ることを阻害している。また、自分の金の入った財布を他人に渡して抜いてもらうようなことは、よほど気心を知っている身内の人でないと嫌がられるものであり、このような手や指が若干不自由な人が容易に紙幣を取り出せる財布がなかった。
【手続補正３】
【補正対象書類名】明細書
【補正対象項目名】０００９
【補正方法】変更
【補正の内容】
【０００９】  結果としてわかったことは、大きな切欠き部は収納した紙幣の中央近辺に設置しないと一枚ずつ平行に滑って出てこないということである。このため紙幣の種類毎の収納部を作成したいなどとする場合であって、複数の紙幣収納部を手前側と奥側に重ねて設けるのであれば、切欠き部の位置に合わせ収納横位置を調節するために縫製したり、接着したりして紙幣収納位置調整部を形成すれば良いことがわかった。このような知見に基づいて実際に作成し、自分達健常者が手のひらで押し出すことの確認ばかりでなく、脳梗塞で指の動きがかなり不自由な人にも確認してもらったが、個人個人で滑らす部位が異なるものの障害者個人のやりやすい方法で一枚ずつ押し出すことができ、支払いの時の時間は健常者と変わりのない程度になり、おつりなど収納については時間がかかるが、個別に残っている身体の機能を使って収納することができ、障害を持っている人の顔の明るさが違っており、精神的にも自立して外出、買い物、支払いが可能になる財布が得られた。また小銭は多少動く手側のポケットに入れる人や、専用の小銭入れに入れ、小銭であれば金額的にもわずかなため小銭入れを渡すことで、店の人でも「ここから○○円いただきます。」という形で支払い処理してくれることもわかった。
【手続補正４】
【補正対象書類名】明細書
【補正対象項目名】００１０
【補正方法】変更
【補正の内容】
【００１０】大きな切欠き部を、収納した紙幣の中央近辺に位置するように、紙幣収納部の前側片の口側の中央部付近に設けることによって、収納した紙幣を一枚ずつ平行に滑らせるようにして取り出すことができるようになった。また複数の紙幣収納部を重ねて設ける場合では、紙幣の収納横方向の位置をずらすと共に紙幣の中央近辺上部に滑り取り出し用切欠き部が位置するように設けることによって、手や指の不自由な人ばかりでなく、一般健常者でも使用でき、かつ健常者が指などを怪我して紙幣を指ではさめない時でも、容易に紙幣を滑らすことにより使用できるユニバーサルデザイン構造の財布とすることができるようになった。さらに滑り押し出し用切欠き部を少しずらすことによってカード収納部が設置できるようになった。
【手続補正５】
【補正対象書類名】明細書
【補正対象項目名】００１２
【補正方法】変更
【補正の内容】
【００１２】  図１はこの実施形態で通称“束入れ”の財布であり、この財布の中央に付けた折り目から両側に並べて設けられている紙幣収納部は、一側が主紙幣収納部１であり、他側が副紙幣収納部１１であって、両方共に紙幣を収納した際に上部まで完全に入る深さにしてあり、紙幣収納部１，１１の各々の前側片２，２の上部で、ほぼ紙幣収納スペース幅の中央近辺に大きめの滑り押し出し用切欠き部３，３を形成している。この滑り押し出し用切欠き部３，３は長円的な穴でもかまわないが試作した時に、滑り押し出す距離が少なく、比較すると切欠き形状にした方が手や指の障害レベルが異なっても対応できることが実験試作品段階でわかっているため切欠き形状としてある。この切欠き寸法は露出する紙幣部が、少なくても幅２ｃｍ、深さ３ｃｍ位は必要であるがこの大きさや形状は制限するものではなく、財布の強度面、デザイン面での切欠き形状にすることも必要である。これにより指先を使わなくても、手のひらの凸部、手のひらの小指側の側面、指を曲げた時にできる甲側関節凸部等で簡単に紙幣を一枚ずつ取り出すことができる。
【手続補正６】
【補正対象書類名】明細書
【補正対象項目名】００１４
【補正方法】変更
【補正の内容】
【００１４】  図２はこの実施形態で通称“札入れ”の財布であり、２つの紙幣収納部すなわち手前側の主紙幣収納部１と奥側の副紙幣収納部１１とを重ねて設けるが、この際に手前側に、折り目より右側の部分が奥側の折り目より右側の部分と一体的になっている複数紙幣収納部形成用袋体６を設置し、奥側の副紙幣収納部１１の右端に紙幣収納位置調整接合部５を設け、紙幣全体を左寄りに収納し得るようにし、その紙幣の中央近辺にあたる前側片２の部位に滑り押し出し用切欠き部３を設け、さらに前記複数紙幣収納部形成用袋体６を内方に曲げ倒し得るように設けていることで、副紙幣収納部１１の滑り押し出し用切欠き部３での紙幣取り出し操作に邪魔になることなく副紙幣収納部１１から紙幣を取り出すことが可能となるようにした。
【手続補正７】
【補正対象書類名】明細書
【補正対象項目名】００１５
【補正方法】変更
【補正の内容】
【００１５】また前記複数紙幣収納部形成用袋体６の左側を紙幣収納位置調整接合部５によって接合することで主紙幣収納部１の紙幣収納位置を右方向にずらすように調整しているため、財布の折り目より右側が紙幣収納時の中央近辺になり、滑り押し出し用切欠き部３を容易に設けることができる。
【手続補正８】
【補正対象書類名】明細書
【補正対象項目名】００１９
【補正方法】変更
【補正の内容】
【００１９】  １    主紙幣収納部  １１  副紙幣収納部  ２前側片  ３    滑り押し出し用切欠き部  ４１  千円紙幣  ４２  五千円紙幣  ４３  一万円紙幣  ５    紙幣収納位置調整接合部  ６    複数紙幣収納部形成用袋体
【手続補正書】
【提出日】平成19年8月10日(2007.8.10)
【手続補正１】
【補正対象書類名】特許請求の範囲
【補正対象項目名】全文
【補正方法】変更
【補正の内容】
【特許請求の範囲】
【請求項１】
キャビネットと、
前記キャビネットに設けられるタブと、
前記タブの内部に回転可能に設けられるドラムと、
前記タブの後壁部上に設けられるモータと、
前記タブの後壁部の内部に一体に形成され、少なくとも一つ以上のベアリングを収容するベアリングハウジングと、
前記タブの後壁部上に結合されて前記ベアリングハウジングを包み、前記モータを支持するサポータと、
前記ベアリングハウジングを貫通して前記タブおよびモータと各々連結されるシャフトと、
を含むことを特徴とする、洗濯機。
【請求項２】
前記タブはプラスティック材質からなることを特徴とする、請求項１に記載の洗濯機。
【請求項３】
前記タブの後壁部は前記タブの側壁部より厚いことを特徴とする、請求項１に記載の洗濯機。
【請求項４】
前記ベアリングハウジングの周辺の後壁部が突出されることを特徴とする、請求項１に記載の洗濯機。
【請求項５】
前記ベアリングハウジングの周辺の後壁部は、該後壁部の他の部分よりも厚いことを特徴とする、請求項１に記載の洗濯機。
【請求項６】
前記タブの後壁部には、前記サポータを支持する多数のリブが形成されていることを特徴とする、請求項１に記載の洗濯機。
【請求項７】
前記タブの後壁部は、前記サポーターが着座される着座部を含んでいることを特徴とする、請求項１に記載の洗濯機。
【請求項８】
前記着座部は、前記サポータの形状に対応するように形成されていることを特徴とする、請求項７に記載の洗濯機。
【請求項９】
前記着座部は、前記リブの先端部に形成されていることを特徴とする、請求項８に記載の洗濯機。
【請求項１０】
前記ベアリングハウジングは、金属材質からなることを特徴とする、請求項１に記載の洗濯機。
【請求項１１】
前記ベアリングハウジングは、前記タブの後壁部内にインサートモールディングされているなることを特徴とする、請求項１に記載の洗濯機。
【請求項１２】
前記ベアリングハウジングは、前記タブの後壁部の外部に所定の長さで延長される突出部を有することを特徴とする、請求項１に記載の洗濯機。
【請求項１３】
前記ベアリングハウジングの突出部の内部にベアリングが位置されることを特徴とする、請求項１２に記載の洗濯機。
【請求項１４】
前記ベアリングは、前記ベアリングハウジングの前方に位置する第１ベアリングと、前
記ベアリングハウジングの後方に位置する第２ベアリングとを含んでいることを特徴とする、請求項１に記載の洗濯機。
【請求項１５】
前記ベアリングは、前記シャフトと直接的に接触することを特徴とする、請求項１に記載の洗濯機。
【請求項１６】
前記サポータは、前記ベアリングハウジングの突出部を包むように突出されることを特徴とする、請求項１２に記載の洗濯機。
【請求項１７】
前記サポータは、前記ベアリングハウジングの突出部と直接接触することを特徴とする、請求項１６に記載の洗濯機。
【請求項１８】
前記サポータは、多数の折曲部を含んでいることを特徴とする、請求項１に記載の洗濯機。
【請求項１９】
前記サポータの外周先端部は、折曲されていることを特徴とする、請求項１に記載の洗濯機。
【請求項２０】
前記サポータは、該サポータを後壁部に固定されるための少なくとも一つ以上の第１締結孔を有することを特徴とする、請求項１に記載の洗濯機。
【請求項２１】
前記第１締結孔は外周先端部に隣接して形成されることを特徴とする、請求項２０に記載の洗濯機。
【請求項２２】
前記サポータは、前記モータおよび該サポータの両方を固定するたるの少なくとも一つ以上の第２締結孔を有することを特徴とする、請求項２０に記載の洗濯機。
【請求項２３】
前記第２締結孔は、前記第１締結孔より半径方向の内側に所定の間隔で離隔されていることを特徴とする、請求項２２に記載の洗濯機。
【請求項２４】
前記第１および第２締結孔は、前記サポータの中心から所定半径を有する円周上に各々配置されていることを特徴とする、請求項２３に記載の洗濯機。
【請求項２５】
前記モータは、前記後壁部に固定されるステータと、前記シャフトと結合されて前記ステータの周囲に回転可能に設けられるローターとを含んでいることを特徴とする、請求項１に記載の洗濯機。
【請求項２６】
前記ステータは、前記サポータを介在して前記後壁部に設けられていることを特徴とする、請求項２５に記載の洗濯機。
【請求項２７】
前記ステータは、磁性体で形成されたマグネティックコアと巻線されたコイルを含む巻線部を有することを特徴とする、請求項２５に記載の洗濯機。
【請求項２８】
前記ステータは、前記マグネティックコアを包むフレームをさらに含んでいることを特徴とする、請求項２７に記載の洗濯機。
【請求項２９】
前記フレームは樹脂材質からなることを特徴とする、請求項２８に記載の洗濯機。
【請求項３０】
前記フレームは、前記マグネティックコアと前記サポータとの間に介在されることを特徴とする、請求項２９に記載の洗濯機。
【請求項３１】
前記マグネティックコアは半径方向の内側に突出される多数のリブを含んでいることを特徴とする、請求項２７に記載の洗濯機。
【請求項３２】
前記マグネティックコアは少なくとも４つのリブを含んでいることを特徴とする、請求項３１に記載の洗濯機。
【請求項３３】
前記リブ内には前記ステータを前記後壁部に締結させるための締結孔が形成されていることを特徴とする、請求項３１に記載の洗濯機。
【請求項３４】
前記マグネティックコアの締結孔と前記サポータの第２締結孔は互いに連通されていることを特徴とする、請求項３３に記載の洗濯機。
【請求項３５】
前記ローターは、前記シャフトとコネクタを介在して連結されることを特徴とする、請求項２５に記載の洗濯機。
【請求項３６】
前記コネクタは樹脂材質からなることを特徴とする、請求項３５に記載の洗濯機。
【請求項３７】
前記コネクタは、前記ベアリングハウジングと接触することを特徴とする、請求項３６に記載の洗濯機。
【請求項３８】
前記ベアリングハウジングの後端部は、タブ外壁の外部に露出するように突出され、前記サポータの後端部は、前記ベアリングハウジングの露出して突出された後端部の外周面上に対向するように形成される、請求項１に記載の洗濯機。
【請求項３９】
前記ベアリングハウジングの後端部は、タブ外壁の外部に露出するように突出され、前記サポータは、前記ベアリングハウジングの露出して突出された後端部を取り囲む、請求項１に記載の洗濯機。
【請求項４０】
前記ベアリングハウジングの後端部は、タブ外壁の外部に露出するように突出され、前記サポータは、前記ベアリングハウジングの露出して突出された後端部の外周面上に直接密着される、請求項１に記載の洗濯機。
【手続補正書】
【提出日】平成19年8月27日(2007.8.27)
【手続補正１】
【補正対象書類名】明細書
【補正対象項目名】０００２
【補正方法】変更
【補正の内容】
【０００２】
既知の超音波システム、装置、又は機器は、空間合成又は基本合成を含むことができる。空間合成は、異なる幾何学的配置で（例えばプローブ上の異なる角度を用いて）収集された画像の２つ又はそれ以上のフレームを単一の合成画像に結合する。空間合成は、コントラスト分解能を向上させることにより従来のスキャン又は非合成スキャンに比べて品質を向上させることができる。しかしながら、空間合成又は基本合成を行なうと、画像データの結合により詳細な情報が画像から失われる可能性がある。このような詳細情報は、例えば極めて小さな構造又は構造の影とすることができる。
【特許文献１】米国特許第６９５１５４２号
【手続補正書】
【提出日】平成19年6月27日(2007.6.27)
【手続補正１】
【補正対象書類名】特許請求の範囲
【補正対象項目名】全文
【補正方法】変更
【補正の内容】
【特許請求の範囲】
【請求項１】
電流源に接続される電流スイッチをオフにするオフ制御電圧を、オンにするオン制御電圧に近づけた電圧に設定したことを特徴とする電流駆動型Ｄ／Ａコンバータ。
【請求項２】
電流スイッチをＮＭＯＳトランジスタまたはＰＭＯＳトランジスタで構成した時、オフにするトランジスタのゲート−ソース間電圧をそのトランジスタのしきい値電圧になるようにオフ制御電圧を設定したことを特徴とする請求項１記載の電流駆動型Ｄ／Ａコンバータ。
【請求項３】
電流スイッチをＮＭＯＳトランジスタまたはＰＭＯＳトランジスタで構成した時、オフにするトランジスタのゲート−ソース間電圧を０Ｖになるようにオフ制御電圧を設定したことを特徴とする請求項１記載の電流駆動型Ｄ／Ａコンバータ。
【請求項４】
一方が第１の電圧源に接続された第１の電流源と、
ゲート電極およびドレイン電極が上記第１の電流源の他方に接続された第１のＮＭＯＳトランジスタと、
ソース電極およびバックゲート電極が上記第１のＮＭＯＳトランジスタのソース電極に接続され、ドレイン電極が第２の電圧源に接続され、ゲート電極が参照電圧端子に接続された第２のＮＭＯＳトランジスタと、
一方が上記第１および第２のＮＭＯＳトランジスタのソース電極に接続され、他方が第３の電圧源に接続された第２の電流源とを備えた電流駆動型Ｄ／Ａコンバータのバイアス回路。
【請求項５】
一方が第１の電圧源に接続された第１の電流源と、
ゲート電極およびドレイン電極が上記第１の電流源の他方に接続された第１のＰＭＯＳトランジスタと、
ソース電極およびバックゲート電極が上記第１のＰＭＯＳトランジスタのソース電極に接続され、ドレイン電極が第２の電圧源に接続され、ゲート電極が参照電圧端子に接続された第２のＰＭＯＳトランジスタと、
一方が上記第１および第２のＰＭＯＳトランジスタのソース電極に接続され、他方が第３の電圧源に接続された第２の電流源とを備えた電流駆動型Ｄ／Ａコンバータのバイアス回路。
【請求項６】
第１および第２のＮＭＯＳトランジスタのドレイン電極に電流ミラー回路を挿入し、第２のＮＭＯＳトランジスタのドレイン電流と同じ電流値を第１のＮＭＯＳトランジスタに流すようにしたことを特徴とする請求項４記載の電流駆動型Ｄ／Ａコンバータのバイアス回路。
【請求項７】
第１および第２のＰＭＯＳトランジスタのドレイン電極に電流ミラー回路を挿入し、第２のＰＭＯＳトランジスタのドレイン電流と同じ電流値を第１のＰＭＯＳトランジスタに流すようにしたことを特徴とする請求項５記載の電流駆動型Ｄ／Ａコンバータのバイアス回路。
【請求項８】
請求項４から請求項７のうちのいずれか１項記載の電流駆動型Ｄ／Ａコンバータのバイアス回路から生成されるバイアス電圧を制御電圧として適用することを特徴とする請求項３記載の電流駆動型Ｄ／Ａコンバータ。
【請求項９】
電流駆動型Ｄ／Ａコンバータのバイアス回路の出力段に電圧バッファを設け、その電圧バッファを介したバイアス電圧を制御電圧として適用することを特徴とする請求項８記載の電流駆動型Ｄ／Ａコンバータ。
【請求項１０】
一方が第１の電圧源に接続された第１の電流源と、
ゲート電極およびドレイン電極が上記第１の電流源の他方に接続された第１のＮＭＯＳトランジスタと、
ソース電極が上記第１のＮＭＯＳトランジスタのソース電極に接続され、ドレイン電極が第２の電圧源に接続され、ゲート電極が参照電圧端子に接続された第２のＮＭＯＳトランジスタと、
一方が上記第１および第２のＮＭＯＳトランジスタのソース電極に接続され、他方が第３の電圧源に接続された第２の電流源とを備えた電流駆動型Ｄ／Ａコンバータのバイアス回路。
【請求項１１】
一方が第１の電圧源に接続された第１の電流源と、
ゲート電極およびドレイン電極が上記第１の電流源の他方に接続された第１のＰＭＯＳトランジスタと、
ソース電極が上記第１のＰＭＯＳトランジスタのソース電極に接続され、ドレイン電極が第２の電圧源に接続され、ゲート電極が参照電圧端子に接続された第２のＰＭＯＳトランジスタと、
一方が上記第１および第２のＰＭＯＳトランジスタのソース電極に接続され、他方が第３の電圧源に接続された第２の電流源とを備えた電流駆動型Ｄ／Ａコンバータのバイアス回路。
【請求項１２】
一方が第１の電圧源に接続された第１の電流源と、
ゲート電極およびドレイン電極が上記第１の電流源の他方に接続された第１のＭＯＳトランジスタと、
ソース電極が上記第１のＭＯＳトランジスタのソース電極に接続され、ドレイン電極が第２の電圧源に接続され、ゲート電極が参照電圧端子に接続された第２のＭＯＳトランジスタと、
一方が上記第１および第２のＭＯＳトランジスタのソース電極に接続され、他方が第３の電圧源に接続された第２の電流源とを備えた電流駆動型Ｄ／Ａコンバータのバイアス回路。
【手続補正書】
【提出日】平成19年7月20日(2007.7.20)
【手続補正１】
【補正対象書類名】明細書
【補正対象項目名】００１９
【補正方法】変更
【補正の内容】
【００１９】
可動レンズ群Ｌ２は、駆動装置３からの駆動力を受けて、固定レンズ群Ｌ１から離れて支持枠１２の一端部１２ａが固定枠１３に当接する図２の短焦点距離端（ワイド端）ｆwと、固定レンズ群Ｌ１に近づいて支持枠１２の他端部１２ｂが固定枠１３に当接する長焦点距離端（テレ端）ｆtとに移動する。この可動レンズ群Ｌ２は、その支持枠１２が固定枠１３に当接することで移動規制され、可動レンズ群Ｌ２をテレ端ｆｔ及びワイド端ｆｓに精度良く位置させることができる。これにより、偏心等の影響による性能劣化を抑えられ、多焦点変倍光学系Ｌの焦点距離ｆ１、ｆ２を高精度に切替可能である。多焦点変倍光学系Ｌの焦点距離ｆ１、ｆ２と画角θ１、θ２はそれぞれ対応しており、この多焦点変倍光学系Ｌの短焦点距離ｆ１により画角θ１が与えられ、長焦点距離ｆ２により画角θ２が与えられている。
【手続補正２】
【補正対象書類名】明細書
【補正対象項目名】００２１
【補正方法】変更
【補正の内容】
【００２１】
制御回路５は、画角設定手段８で設定された画角θの被写体画像が得られるように、撮像素子２、モータ駆動制御回路４及び画像処理回路６を動作させる。図３は、画角θ（θ１〜θ５）に対応する焦点距離ｆ（ｆ１〜ｆ５）と、各焦点距離ｆ１〜ｆ５で得られる被写体画像の関係を説明する概念図である。図中の黒丸印で示す焦点距離ｆ１及びｆ２は、多焦点変倍光学系Ｌの短焦点距離及び長焦点距離であり、該焦点距離ｆ１及びｆ２であるとき多焦点変倍光学系Ｌの可動レンズ群Ｌ２はそれぞれ短焦点距離端ｆｓ及び長焦点距離端ｆｔに位置する。また、図中の白丸印で示す焦点距離ｆ３、ｆ４、ｆ５は、第２の画像処理回路６Ｂで形成されたトリミング画像を被写体画像として取得する、デジタルズームポジションの一例である（但し、ｆ１＜ｆ４＜ｆ２＜ｆ５＜ｆ３）。ここで、焦点距離ｆ３は、第２の画像処理回路６Ｂにより最大トリミング率の被写体画像が得られる最大デジタルズームポジションである。
【手続補正書】
【提出日】平成19年8月30日(2007.8.30)
【手続補正１】
【補正対象書類名】特許請求の範囲
【補正対象項目名】全文
【補正方法】変更
【補正の内容】
【特許請求の範囲】
【請求項１】
記録媒体が接続されたことを検出する記録媒体検出手段と、
前記記録媒体検出手段により前記記録媒体の接続が検出されたとき、前記記録媒体から所定の映像ファイルフォーマット規格に準拠して作成された特定フォルダを検出するフォルダ検出手段と、
前記フォルダ検出手段により前記特定フォルダが検出されたとき、前記特定フォルダ内から所定のデジタル映像信号を取得する取得手段と、
前記取得手段で取得したデジタル映像信号を再生し映像表示する表示手段とを具備することを特徴とする映像再生装置。
【請求項２】
接続された外部機器に照会することにより、前記外部機器が、デジタル映像信号を記録可能であることを検出する第１の検出手段と、
前記第１の検出手段で検出された外部機器に照会することにより、前記外部機器が、リムーバブル機器であることを検出する第２の検出手段と、
前記第２の検出手段で検出された前記外部機器から所定の映像ファイルフォーマット規格に準拠して作成された特定フォルダを検出するフォルダ検出手段と、
前記フォルダ検出手段により前記特定フォルダが検出されたとき、前記特定フォルダ内から所定のデジタル映像信号を取得する取得手段と、
前記取得手段で取得したデジタル映像信号を再生し映像表示する表示手段とを具備することを特徴とする映像再生装置。
【請求項３】
前記取得手段は、前記特定フォルダ内に格納されている全てのデジタル映像信号を取得することを特徴とする請求項１または２記載の映像再生装置。
【請求項４】
前記取得手段は、前記特定フォルダの下の階層に存在するサブフォルダのうち、先頭のサブフォルダ内に格納されているデジタル映像信号を取得することを特徴とする請求項１または２記載の映像再生装置。
【請求項５】
前記取得手段は、前記特定フォルダの下の階層に存在するサブフォルダのうち、最新の更新日を有するサブフォルダ内に格納されているデジタル映像信号を取得することを特徴とする請求項１または２記載の映像再生装置。
【請求項６】
前記所定の映像ファイルフォーマット規格に準拠して作成される特定フォルダは、ＤＣＦ規格におけるＤＣＩＭフォルダであることを特徴とする請求項１乃至５いずれかに記載の映像再生装置。
【請求項７】
記録媒体が接続されたことを検出する記録媒体検出手段と、
前記記録媒体検出手段により前記記録媒体の接続が検出されたとき、前記記録媒体に所定の映像ファイルフォーマット規格に準拠して作成された階層化構造を有する複数のフォルダから、予め設定された最大階層及びパス制限の少なくとも一方の範囲内でデジタル映像信号を取得する取得手段と、
前記取得手段で取得したデジタル映像信号を再生し映像表示する表示手段とを具備することを特徴とする映像再生装置。
【請求項８】
接続された外部機器に照会することにより、前記外部機器が、デジタル映像信号を記録可能であることを検出する第１の検出手段と、
前記第１の検出手段で検出された外部機器に照会することにより、前記外部機器が、リムーバブル機器であることを検出する第２の検出手段と、
前記第２の検出手段で検出された前記外部機器に所定の映像ファイルフォーマット規格に準拠して作成された階層化構造を有する複数のフォルダから、予め設定された最大階層及びパス制限の少なくとも一方の範囲内でデジタル映像信号を取得する取得手段と、
前記取得手段で取得したデジタル映像信号を再生し映像表示する表示手段とを具備することを特徴とする映像再生装置。
【請求項９】
前記取得手段は、ＪＰＥＧ規格に準拠した形態で符号化されて記録されているデジタル映像信号を取得することを特徴とする請求項１乃至８いずれかに記載の映像再生装置。
【請求項１０】
記録媒体が接続されたことを検出する工程と、
前記記録媒体の接続が検出されたとき、前記記録媒体から所定の映像ファイルフォーマット規格に準拠して作成された特定フォルダを検出する工程と、
前記特定フォルダが検出されたとき、前記特定フォルダ内から所定のデジタル映像信号を取得する工程と、
取得したデジタル映像信号を再生し映像表示する工程とを具備することを特徴とする映像再生方法。
【手続補正書】
【提出日】平成19年8月30日(2007.8.30)
【手続補正１】
【補正対象書類名】特許請求の範囲
【補正対象項目名】全文
【補正方法】変更
【補正の内容】
【特許請求の範囲】
【請求項１】
複数のページを含む電子アルバムを編集するための電子アルバム編集装置であって、
前記電子アルバムのページ上に配置される画像データを、前記ページと対応する編集領域に表示するよう制御する表示制御手段と、
前記編集領域に表示された画像データの中から１つ以上の画像データを選択する編集領域選択手段と、
前記選択された画像データを前記ページから削除するための指示を入力する削除指示手段とを備え、
前記表示制御手段は、前記削除指示の入力に応答して、前記選択された画像データを、前記電子アルバムの各ページとは独立した退避領域に表示し、かつ前記編集領域で非表示にするよう制御することを特徴とする電子アルバム編集装置。
【請求項２】
前記退避領域に表示された画像データの中から１つ以上の画像データを選択する退避領域選択手段と、
前記選択された画像データを、前記編集領域に表示されたページに追加するための指示を入力する追加指示手段と、
前記表示制御手段は、前記追加指示の入力に応答して、前記選択された画像データを前記編集領域に表示し、かつ前記退避領域で非表示にするよう制御することを特徴とする請求項１に記載の電子アルバム編集装置。
【請求項３】
前記表示制御手段は、前記編集領域および前記退避領域を同時に表示するよう制御することを特徴とする請求項１乃至２に記載の電子アルバム編集装置。
【請求項４】
前記表示制御手段は、前記編集領域および前記退避領域を一画面に表示するよう制御することを特徴とする請求項１乃至３に記載の電子アルバム編集装置。
【請求項５】
前記編集領域に表示された画像データと、前記退避領域に表示された画像データとを区別してメモリに記憶するよう制御する記憶制御手段とをさらに備えたことを特徴とする請求項１乃至４に記載の電子アルバム編集装置。
【請求項６】
前記編集領域に表示された画像データを印刷するための印刷用データを作成する作成手段とをさらに備えたことを特徴とする請求項１乃至５に記載の電子アルバム編集装置。
【請求項７】
前記編集領域に表示された画像データを、前記編集領域と対応するページのページ番号と対応付けて記憶する記憶手段とをさらに備え、
前記表示制御手段は、前記記憶手段に記憶されたページ番号とともに前記画像データを前記退避領域に表示するよう制御することを特徴とする請求項１乃至６に記載の電子アルバム編集装置。
【請求項８】
前記編集領域に表示された画像データを前記編集領域と対応するページのページ番号と対応付けて記憶する記憶手段とをさらに備え、
前記表示制御手段は、前記編集領域に表示されているページのページ番号と対応付けて前記記憶手段に記憶された画像データであるか否かを区別して、前記画像データを前記退避領域に表示するよう制御することを特徴とする請求項１乃至７に記載の電子アルバム編集装置。
【請求項９】
前記編集領域に表示された画像データを前記編集領域と対応するページのページ番号と対応付けて記憶する記憶手段と、
前記退避領域に表示された画像データのページ番号を指定する指定手段とをさらに備え、
前記表示制御手段は、前記指定された画像データのページ番号のページを前記編集領域に表示するよう制御することを特徴とする請求項１乃至８に記載の電子アルバム編集装置。
【請求項１０】
コンピュータに、複数のページを含む電子アルバムを編集するために、
前記電子アルバムのページ上に配置される画像データを、前記ページと対応する編集領域に表示するよう制御するステップと、
前記編集領域に表示された画像データの中から１つ以上の画像データを選択するステップと、
前記選択された画像データを前記ページから削除するための指示を入力するステップと、
前記削除指示の入力に応答して、前記選択された画像データを、前記電子アルバムの各ページとは独立した退避領域に表示し、かつ前記編集領域で非表示にするよう制御するステップを実行させることを特徴とするプログラム。
【請求項１１】
複数のページを含む電子アルバムを編集するための電子アルバム編集装置の制御方法であって、
前記電子アルバムのページ上に配置される画像データを、前記ページと対応する編集領域に表示するよう制御するステップと、
前記編集領域に表示された画像データの中から１つ以上の画像データを選択するステップと、
前記選択された画像データを前記ページから削除するための指示を入力するステップと、
前記削除指示の入力に応答して、前記選択された画像データを、前記電子アルバムの各ページとは独立した退避領域に表示し、かつ前記編集領域で非表示にするよう制御するステップとを備えたことを特徴とする制御方法。
【手続補正２】
【補正対象書類名】明細書
【補正対象項目名】発明の名称
【補正方法】変更
【補正の内容】
【発明の名称】電子アルバム編集装置およびその制御方法およびそのプログラム
【手続補正３】
【補正対象書類名】明細書
【補正対象項目名】０００１
【補正方法】変更
【補正の内容】
【０００１】
本発明は、複数画像データを複数ページに配置した電子アルバムを作成する電子アルバム編集装置及びその制御方法及びそのプログラムに関するものである。
【手続補正４】
【補正対象書類名】明細書
【補正対象項目名】０００６
【補正方法】変更
【補正の内容】
【０００６】
本願発明は、複数のページを含む電子アルバムを編集するための電子アルバム編集装置であって、前記電子アルバムのページ上に配置される画像データを、前記ページと対応する編集領域に表示するよう制御する表示制御手段と、前記編集領域に表示された画像データの中から１つ以上の画像データを選択する編集領域選択手段と、前記選択された画像データを前記ページから削除するための指示を入力する削除指示手段とを備え、前記表示制御手段は、前記削除指示の入力に応答して、前記選択された画像データを、前記電子アルバムの各ページとは独立した退避領域に表示し、かつ前記編集領域で非表示にするよう制御することを特徴とする。
【手続補正書】
【提出日】平成19年8月13日(2007.8.13)
【手続補正１】
【補正対象書類名】明細書
【補正対象項目名】００６１
【補正方法】変更
【補正の内容】
【００６１】
上記の実施形態では、ＵＨＦ帯用とＶＨＦ帯用のダイポールアンテナをそれぞれ設けたが、ＵＨＦ帯用のダイポールアンテナのみを設けることもできる。上記の実施形態では、区画壁５４と区画壁６０とを設けたが、区画壁６０を除去することも可能である。また、区画壁５４を環状に設けたが、これに代えて、例えば各アンテナ素子１４ａ、１４ｂ、１６ａ、１６ｂ、１８ａ、１８ｂ、２０ａ、２０ｂの中途付近にのみ溝１０８を持つ支持体を個別に設けることもできる。
【手続補正書】
【提出日】平成19年8月22日(2007.8.22)
【手続補正１】
【補正対象書類名】特許請求の範囲
【補正対象項目名】全文
【補正方法】変更
【補正の内容】
【特許請求の範囲】
【請求項１】
放送波をサーチする自動選局機能部を有する放送受信装置において、
前記自動選局機能部は、異なる複数の選局モードを設定可能であり、かつ、ユーザによって選択された選局モードにて自動選局を実行し、
前記複数の選局モードは、デジタル放送の放送局をサーチする第１の選局モードと、該デジタル放送の放送局および番組情報をサーチする第２の選局モードとを含むことを特徴とする放送受信装置。
【請求項２】
前記第１の選局モードにおいて、前記放送局の局名を順次表示すると共に、各該放送局が提供する複数の番組情報のうち予め定めた代表番組情報も併せて表示することを特徴とする請求項１に記載の放送受信装置。
【請求項３】
前記第２の選局モードにおいて、前記放送局の局名を順次表示すると共に、順次表示された各該放送局毎に当該放送局が提供する複数の番組情報を順次表示することを特徴とする請求項１に記載の放送受信装置。
【請求項４】
順次表示された前記放送局毎に、当該放送局が提供する最初の番組情報の放送番組を併せて表示することを特徴とする請求項３に記載の放送受信装置。
【請求項５】
前記第２の選局モードにおいて、前記放送局の局名を順次表示し、順次表示された各該放送局毎に当該放送局が提供する複数の番組情報を順次表示するときに、表示された各該番組情報毎の放送番組を併せて表示することを特徴とする請求項３に記載の放送受信装置。
【請求項６】
前記第１の選局モードおよび第２の選局モードのもとでサーチした選局情報を保存するオートプリセットメモリを備えることを特徴とする請求項１に記載の放送受信装置。
【請求項７】
前記複数の選局モードとして第３の選局モードを含み、該第３の選局モードでは、前記放送波がデジタル放送であるとき、該デジタル放送の複数の放送局のうち任意に選択された放送局のみをサーチして登録する処理と、当該放送局に加えて該放送局が提供する複数の番組情報のうち任意に選択された番組情報までもサーチして登録する処理とを実行することを特徴とする請求項１に記載の放送受信装置。
【請求項８】
前記第３の選局モードのもとでサーチして登録すべき選局情報を格納するオートプリセットメモリを備えることを特徴とする請求項７に記載の放送受信装置。
【請求項９】
サーチした前記選局情報のうち、特定の条件のもとで選別された選局情報のみを前記オートプリセットメモリに入力することを特徴とする請求項６または８に記載の放送受信装置。
【手続補正書】
【提出日】平成19年8月2日(2007.8.2)
【手続補正１】
【補正対象書類名】特許請求の範囲
【補正対象項目名】全文
【補正方法】変更
【補正の内容】
【特許請求の範囲】
【請求項１】
中空円筒形状を有するステータと、
周方向に分割して異なる極性に交互に着磁され、前記ステータに同心に固定されるマグ
ネットと、
前記ステータに同心に固定される第１および第２のコイルと、
前記マグネットの着磁面と対向し、前記第１のコイルによって励磁される第１の磁極部
材と、
前記マグネットの着磁面と対向し、前記第２のコイルによって励磁される第２の磁極部
材と、
前記第１の磁極部材および前記第２の磁極部材を有するロータを前記ステータに対して
回転自在に支持する軸受け部とを備えたステッピングモータ。
【請求項２】
前記マグネットは、その外周表面が着磁されるとともに、前記ステータの外側に固定さ
れ、
前記第１および第２のコイルは、前記ステータの外側に固定されたことを特徴とする請
求項１記載のステッピングモータ。
【請求項３】
前記マグネットは、その内周表面が着磁されるとともに、前記ステータの内側に固定さ
れ、
前記第１および第２のコイルは、前記ステータの内側に固定されたことを特徴とする請
求項１記載のステッピングモータ。
【請求項４】
前記ステータは、前記第１のコイルによって励磁される第１のステータ部材と、前記第
２のコイルによって励磁される第２のステータ部材とから構成されることを特徴とする請
求項３記載のステッピングモータ。
【請求項５】
前記軸受け部は、非磁性材料からなる中間部材に設けられ、前記ロータを前記ステータ
に対して回転自在に支持することを特徴とする請求項１記載のステッピングモータ。
【請求項６】
前記ステータおよびロータはそれぞれ軸方向に２段に形成され、
前記マグネットの外径をＤｏ、内径をＤｉとし、前記ロータの内径の最大値をＤｒ１、
内径の最小値をＤｒ２とし、前記ステータの外径の最大値をＤｓ１、外径の最小値をＤｓ
２とすると、Ｄｒ１≧Ｄｏ、Ｄｉ＜Ｄｒ２＜Ｄｏ、Ｄｓ２≦Ｄｉ、Ｄｉ＜Ｄｓ１＜Ｄｒ１
の関係を有することを特徴とする請求項２記載のステッピングモータ。
【手続補正２】
【補正対象書類名】明細書
【補正対象項目名】００５９
【補正方法】削除
【補正の内容】
【手続補正書】
【提出日】平成19年1月22日(2007.1.22)
【手続補正１】
【補正対象書類名】特許請求の範囲
【補正対象項目名】全文
【補正方法】変更
【補正の内容】
【特許請求の範囲】
【請求項１】
複数の量子化行列を適応的に適用することによる動映像復号化方法において、
入力映像の符号化されたストリームを受信する段階を有していて、前記符号化されたストリームは、少なくとも１つのマクロブロックを含んでいて、各マクロブロックは、情報を含んでいて、
前記方法は更に、マクロブロック単位で、複数の量子化行列から、受信された情報から提供されるそれぞれのマクロブロックに対応するそれらの量子化行列を選択する段階を有していて、
前記方法は更に、符号化された映像データを可変長復号化する段階と、
それぞれのマクロブロックに対して選択された量子化行列を適応的に適用して、各可変長復号化されたマクロブロックを逆量子化する段階とを有していることを特徴とする方法。
【請求項２】
前記複数の量子化行列は、少なくとも１つのマクロブロックと関連する空間的特性を含む符号化されたストリームの複数の特性に従って分類され、受信された情報から提供されるそれぞれのマクロブロックの空間的特性に対応するそれらの量子化行列を選択し、前記入力映像の複数の特性のうちの１つは、入力映像のノイズ情報であることを特徴とする請求項１に記載の方法。
【請求項３】
前記ノイズ情報は、ノイズ分散値と入力映像分散値間の比であることを特徴とする請求項２に記載の方法。
【請求項４】
前記空間的特性は、入力映像に含まれているエッジのサイズであることを特徴とする請求項２に記載の方法。
【請求項５】
インデックス情報が、前記入力映像ストリームのマクロブロックヘッダに含まれていることを特徴とする請求項１に記載の方法。
【請求項６】
複数の量子化行列を適応的に適用する動映像復号化装置において、
符号化された映像ストリームを受信して、入力映像ストリームを可変長復号化する可変長復号化部を有していて、前記符号化されたストリームは、少なくとも１つのマクロブロックを含んでいて、各マクロブロックは、情報を含んでいて、
前記装置は更に、複数の量子化行列を貯蔵し、複数の量子化行列から、受信された情報から提供されるそれぞれのマクロブロックに対応するそれらの量子化行列を選択し、選択された量子化行列を出力する量子化行列貯蔵部を有していて、
前記装置は更に、前記量子化行列貯蔵部から出力される量子化行列を適応的に適用して、可変長復号化された映像ストリームの各々のマクロブロックを逆量子化する逆量子化部を有していることを特徴とする装置。
【請求項７】
前記複数の量子化行列は、少なくとも１つのマクロブロックと関連する空間的特性を含む符号化されたストリームの複数の特性に従って分類され、受信された情報から提供されるそれぞれのマクロブロックの空間的特性に対応するそれらの量子化行列を選択し、前記入力映像のうちの１つは、入力映像のノイズ情報であることを特徴とする請求項６に記載の装置。
【請求項８】
前記ノイズ情報は、ノイズ分散値と入力映像分散値間の比であることを特徴とする請求項７に記載の装置。
【請求項９】
前記空間的特性は、入力映像に含まれているエッジのサイズであることを特徴とする請求項７に記載の装置。
【請求項１０】
インデックス情報が、前記入力映像ストリームのマクロブロックヘッダに含まれていることを特徴とする請求項６に記載の装置。